(57)【特許請求の範囲】
【請求項１】
長方形状の第１導光板と、前記第１導光板の裏面側に配置されると共に前記第１導光板に対して略平行に配置された長方形状の第２導光板と、第１ＬＥＤ光源と、第２ＬＥＤ光源と、を有した面発光装置において、
前記第１導光板は、第１入射面と、第１出射面と、第１表面素通し面と、第１プリズム面と、第１裏面素通し面と、を有し、
前記第２導光板は、第２入射面と、第２出射面と、第２プリズム面と、を有し、
前記第１ＬＥＤ光源は、前記第１入射面と対向する位置に設けられ、
前記第２ＬＥＤ光源は、前記第２入射面と対向する位置に設けられ、  
前記第１ＬＥＤ光源と前記第２ＬＥＤ光源とは、前記第１導光板および第２導光板を隔てて、お互いが向かい合うように配置され、
前記第１出射面は、前記第１導光板の表側表面の少なくとも一部に形成され、
前記第１表面素通し面は、前記第１導光板の表側表面のうち、前記第１出射面が設けられていない面に形成され、
前記第１裏面素通し面は、前記第１導光板の裏側表面のうち、前記第１表面素通し面と対向する位置に形成され、
前記第１プリズム面は、前記第１導光板の裏側表面のうち、前記第１出射面と対向する位置に形成され、
前記第２出射面は、前記第２導光板の表側表面のうち、前記第１裏面素通し面に対向する位置に形成され、
前記第２プリズム面は、前記第２導光板の裏側表面のうち、前記第２出射面に対向する位置に形成され、
前記第１ＬＥＤ光源から出射され前記第１入射面にて前記第１導光板の内部に入光した光のうち、前記第１プリズム面によって反射された光は、前記第１出射面より外部へと出光され、他方前記第１プリズム面から漏れ出た光は、前記第２導光板の前記第２プリズム面へと向かうと共に当該第２プリズム面によって前記第２出射面へと反射され、最終的に第２出射面から出射されることで前記第１導光板の前記第１裏面素通し面及び前記第１表面素通し面を透過して外部へと出射され、
前記第２ＬＥＤ光源から出射され前記第２入射面にて前記第２導光板の内部に入光した光は、前記第２プリズム面によって前記第２出射面へと反射され、最終的に第２出射面から出射されることで前記第１導光板の前記第１裏面素通し面及び前記第１表面素通し面を透過して外部へと出射され、
前記第１ＬＥＤ光源に対する通電量を第１切り替え速度で非通電状態から通電状態に切り替える第１モードと、前記第１ＬＥＤ光源に対する通電量を前記第１切り替え速度よりも遅い第２切り替え速度で非通電状態から通電状態に切り替える第２モードと、前記第１ＬＥＤ光源に対する通電量を通電状態に維持しつつ、前記第２ＬＥＤ光源に対する通電量を前記第２の切り替え速度で非通電状態から通電状態に切り替える第３モードと、を設け、
前記第１ＬＥＤ光源と、前記第２ＬＥＤ光源とは、お互いに異なる発光色を発光させることを特徴とするＬＥＤ面発光装置。
【請求項２】
前記第１導光板の表側表面および裏側表面の一方と前記第１ＬＥＤ光源の光軸とを交差させ、
前記第２導光板の表側表面および裏側表面の一方と前記第２ＬＥＤ光源の光軸とを交差させ、
前記第１導光板の前記第１入射面の反対側に位置する先端面を、互いに直交する２つの平面によって構成し、
前記第２導光板の前記第２入射面の反対側に位置する先端面を、互いに直交する２つの平面によって構成したことを特徴とする請求項１に記載のＬＥＤ面発光装置。
【発明の詳細な説明】
【技術分野】
【０００１】
本発明は、概略長方形の導光板とＬＥＤ光源とを具備し、ＬＥＤ光源からの光が入射する入射面が、導光板の根元側端面によって構成され、導光板によって導光された光が出射する出射面が、導光板の表側表面によって構成され、導光板の裏側表面にプリズムカットが形成され、粗面加工がプリズムカットに施されたＬＥＤ面発光装置に関する。
【０００２】
特に、本発明は、複数のＬＥＤ光源の通電状態と非通電状態とをそれぞれ独立して制御する必要なく、導光板の出射面のうちの一部分のみが発光しているように見える状態と、導光板の出射面の全体が発光しているように見える状態とを形成し、更に通電状態と非通電状態とを独立して制御することなく、最大３色の光を発光することができるＬＥＤ面発光装置に関する。
【背景技術】
【０００３】
従来から、概略長方形の導光板とＬＥＤ光源とを具備し、ＬＥＤ光源からの光が入射する入射面が、導光板の根元側端面によって構成され、導光板によって導光された光が出射する出射面が、導光板の一方の表面によって構成され、導光板の他方の表面にプリズムカットが形成されたＬＥＤ面発光装置が知られている。この種のＬＥＤ面発光装置の例としては、例えば特許文献１（特開２００９−２８３３８３号公報）に記載されたものがある。
【０００４】
特許文献１に記載されたＬＥＤ面発光装置では、複数のＬＥＤ光源が設けられている。また、複数のＬＥＤ光源のうちの一部のＬＥＤ光源のみを点灯することにより、導光板の出射面のうちの一部分のみが発光しているように見える状態を形成することができる（特許文献１の図２参照）。更に、すべてのＬＥＤ光源を点灯することにより、導光板の出射面の全体が発光しているように見える状態を形成することができる。
【０００５】
換言すれば、特許文献１に記載されたＬＥＤ面発光装置では、導光板の出射面のうちの一部分のみが発光しているように見える状態と、導光板の出射面の全体が発光しているように見える状態とを形成するために、複数のＬＥＤ光源を設ける必要がある。
【０００６】
更に、特許文献１に記載されたＬＥＤ面発光装置では、導光板の出射面のうちの一部分のみが発光しているように見える状態と、導光板の出射面の全体が発光しているように見える状態とを形成するために、複数のＬＥＤ光源の通電状態と非通電状態とをそれぞれ独立して制御する必要がある。
【先行技術文献】
【特許文献】
【０００７】
【特許文献１】特開２００９−２８３３８３号公報
【発明の概要】
【発明が解決しようとする課題】
【０００８】
本発明者は、複数のＬＥＤ光源の通電状態と非通電状態とをそれぞれ独立して制御しなくても、導光板の出射面のうちの一部分のみが発光しているように見える状態と、導光板の出射面の全体が発光しているように見える状態とを形成し、更に通電状態と非通電状態とを独立して制御することなく、最大３色の光を発光することができるＬＥＤ面発光装置を開発するために鋭意研究を行った。
【０００９】
その結果、本発明者は、ＬＥＤ光源に対する通電量を低速で非通電状態から通電状態に切り換えることによって、ＬＥＤ光源に対する通電量の切り換え時に、導光板の出射面のうちの一部分のみが発光しているように見える状態を瞬間的に形成することができ、更に、ＬＥＤ光源に対する通電量の切り換え後に、導光板の出射面の全体が発光しているように見える状態を形成することができ、更に通電状態と非通電状態とを独立して制御することなく、最大３色の光を発光できることを見い出したのである。
【００１０】
すなわち、本発明は、複数のＬＥＤ光源の通電状態と非通電状態とをそれぞれ独立して制御する必要なく、導光板の出射面のうちの一部分のみが発光しているように見える状態と、導光板の出射面の全体が発光しているように見える状態とを形成することができ、更に通電状態と非通電状態とを独立して制御することなく、最大３色の光を発光できるＬＥＤ面発光装置を提供することを目的とする。
【課題を解決するための手段】
【００１１】
請求項１に記載の発明によれば、長方形状の第１導光板と、前記第１導光板の裏面側に配置されると共に前記第１導光板に対して略平行に配置された長方形状の第２導光板と、第１ＬＥＤ光源と、第２ＬＥＤ光源と、を有した面発光装置において、前記第１導光板は、第１入射面と、第１出射面と、第１表面素通し面と、第１プリズム面と、第１裏面素通し面と、を有し、前記第２導光板は、第２入射面と、第２出射面と、第２プリズム面と、を有し、前記第１ＬＥＤ光源は、前記第１入射面と対向する位置に設けられ、前記第２ＬＥＤ光源は、前記第２入射面と対向する位置に設けられ、前記第１ＬＥＤ光源と前記第２ＬＥＤ光源とは、前記第１導光板および第２導光板を隔てて、お互いが向かい合うように配置され、前記第１出射面は、前記第１導光板の表側表面の少なくとも一部に形成され、前記第１表面素通し面は、前記第１導光板の表側表面のうち、前記第１出射面が設けられていない面に形成され、前記第１裏面素通し面は、前記第１導光板の裏側表面のうち、前記第１表面素通し面と対向する位置に形成され、前記第１プリズム面は、前記第１導光板の裏側表面のうち、前記第１出射面と対向する位置に形成され、前記第２出射面は、前記第２導光板の表側表面のうち、前記第１裏面素通し面に対向する位置に形成され、前記第２プリズム面は、前記第２導光板の裏側表面のうち、前記第２出射面に対向する位置に形成され、前記第１ＬＥＤ光源から出射され前記第１入射面にて前記第１導光板の内部に入光した光のうち、前記第１プリズム面によって反射された光は、前記第１出射面より外部へと出光され、他方前記第１プリズム面から漏れ出た光は、前記第２導光板の前記第２プリズム面へと向かうと共に当該第２プリズム面によって前記第２出射面へと反射され、最終的に第２出射面から出射されることで前記第１導光板の前記第１裏面素通し面及び前記第１表面素通し面を透過して外部へと出射され、前記第２ＬＥＤ光源から出射され前記第２入射面にて前記第２導光板の内部に入光した光は、前記第２プリズム面によって前記第２出射面へと反射され、最終的に第２出射面から出射されることで前記第１導光板の前記第１裏面素通し面及び前記第１表面素通し面を透過して外部へと出射され、前記第１ＬＥＤ光源に対する通電量を第１切り替え速度で非通電状態から通電状態に切り替える第１モードと、前記第１ＬＥＤ光源に対する通電量を前記第１切り替え速度よりも遅い第２切り替え速度で非通電状態から通電状態に切り替える第２モードと、前記第１ＬＥＤ光源に対する通電量を通電状態に維持しつつ、前記第２ＬＥＤ光源に対する通電量を前記第２の切り替え速度で非通電状態から通電状態に切り替える第３モードと、を設け、前記第１ＬＥＤ光源と、前記第２ＬＥＤ光源とは、お互いに異なる発光色を発光させることることを特徴とするＬＥＤ面発光装置が提供される。
【００１２】
請求項２に記載の発明によれば前記第１導光板の表側表面および裏側表面の一方と前記第１ＬＥＤ光源の光軸とを交差させ、
前記第２導光板の表側表面および裏側表面の一方と前記第２ＬＥＤ光源の光軸とを交差させ、前記第１導光板の前記第１入射面の反対側に位置する先端面を、互いに直交する２つの平面によって構成し、前記第２導光板の前記第２入射面の反対側に位置する先端面を、互いに直交する２つの平面によって構成したことを特徴とする請求項１に記載のＬＥＤ面発光装置が提供される。
【発明の効果】
【００１４】
請求項１に記載のＬＥＤ面発光装置（１０）においては、複数のＬＥＤ光源の通電状態と非通電状態とをそれぞれ独立して制御しなくても、導光板の出射面のうちの一部分のみが発光しているように見える状態と、導光板の出射面の全体が発光しているように見える状態とを形成し、更に通電状態と非通電状態とを独立して制御することなく、最大３色の光を発光することができるＬＥＤ面発光装置が提供される。
【００３６】
請求項３に記載のＬＥＤ面発光装置（１０）では、第１導光板（３ａ）の表側表面（３ａ２）および裏側表面（３ａ３）の一方と第１ＬＥＤ光源（１ａ）の光軸（１ａ’）とが交差せしめられている。そのため、請求項３に記載のＬＥＤ面発光装置（１０）によれば、第１導光板（３ａ）の表側表面（３ａ２）および裏側表面（３ａ３）と第１ＬＥＤ光源（１ａ）の光軸（１ａ’）とが交差せしめられていない場合よりも、第１ＬＥＤ光源（１ａ）から照射された光のうち、第１導光板（３ａ）の裏側表面（３ａ３）のプリズムカット（３ａ３ａ１）によって反射される光の割合を向上させることができる。
【００３７】
また、請求項３に記載のＬＥＤ面発光装置（１０）では、第２導光板（３ｂ）の表側表面（３ｂ２）および裏側表面（３ｂ３）の一方と第２ＬＥＤ光源（１ｂ）の光軸（１ｂ’）とが交差せしめられている。そのため、請求項３に記載のＬＥＤ面発光装置（１０）によれば、第２導光板（３ｂ）の表側表面（３ｂ２）および裏側表面（３ｂ３）と第２ＬＥＤ光源（１ｂ）の光軸（１ｂ’）とが交差せしめられていない場合よりも、第２ＬＥＤ光源（１ｂ）から照射された光のうち、第２導光板（３ｂ）の裏側表面（３ｂ３）のプリズムカット（３ｂ３ａ１）によって反射される光の割合を向上させることができる。
【００３８】
更に、請求項３に記載のＬＥＤ面発光装置（１０）では、第１導光板（３ａ）の先端面（３ａ４）が互いに直交する２つの平面（３ａ４ａ，３ａ４ｂ）によって構成されている。そのため、請求項３に記載のＬＥＤ面発光装置（１０）によれば、第１導光板（３ａ）の先端面（３ａ４）が単一の平面によって構成されている場合よりも、第１導光板（３ａ）の先端面（３ａ４）を透過してしまう光を低減することができる。
【００３９】
また、請求項３に記載のＬＥＤ面発光装置（１０）では、第２導光板（３ｂ）の先端面（３ｂ４）が互いに直交する２つの平面（３ｂ４ａ，３ｂ４ｂ）によって構成されている。そのため、請求項３に記載のＬＥＤ面発光装置（１０）によれば、第２導光板（３ｂ）の先端面（３ｂ４）が単一の平面によって構成されている場合よりも、第２導光板（３ｂ）の先端面（３ｂ４）を透過してしまう光を低減することができる。
【図面の簡単な説明】
【００４０】
【図１】第１の実施形態のＬＥＤ面発光装置１０を概略的に示した図である。
【図２】第１の実施形態のＬＥＤ面発光装置１０の一部を構成する概略長方形の導光板３ａの部品図である。
【図３】第１の実施形態のＬＥＤ面発光装置１０の一部を構成する概略長方形の導光板３ｂの部品図である。
【図４】第１の実施形態のＬＥＤ面発光装置１０のＬＥＤ光源１ａ，１ｂに対する通電量が非通電状態から通電状態に高速で切り換えられる高速切り換えモードを説明するための図である。
【図５】第１の実施形態のＬＥＤ面発光装置１０のＬＥＤ光源１ａ，１ｂに対する通電量が非通電状態から通電状態に低速で切り換えられる低速切り換えモードを説明するための図である。
【図６】第１の実施形態のＬＥＤ面発光装置１０のＬＥＤ光源１ａ，１ｂに対する通電量が非通電状態から通電状態に低速で切り換えられる低速切り換えモードを説明するための図である。
【図７】ＬＥＤ光源１ａ，１ｂから照射される光Ｌ１ａ１，Ｌ１ａ２，Ｌ１ｂ１，Ｌ１ｂ２の利用効率を説明するための図である。
【図８】ＬＥＤ光源１ａ，１ｂからの光Ｌ１ａ３，Ｌ１ａ４，Ｌ１ｂ３，Ｌ１ｂ４の利用効率を説明するための図である。
【図９】第５の実施形態のＬＥＤ面発光装置１０のＬＥＤ光源１ａ，１ｂに対する通電量が非通電状態から通電状態に高速で切り換えられる高速切り換えモードを説明するための図である。
【図１０】第５の実施形態のＬＥＤ面発光装置１０のＬＥＤ光源１ａ，１ｂに対する通電量が非通電状態から通電状態に低速で切り換えられる低速切り換えモードを説明するための図である。
【発明を実施するための形態】
【００４１】
以下、本発明のＬＥＤ面発光装置の第１の実施形態について説明する。図１は第１の実施形態のＬＥＤ面発光装置１０を概略的に示した図である。詳細には、図１（Ａ）は第１の実施形態のＬＥＤ面発光装置１０の平面図、図１（Ｂ）は図１（Ａ）のＡ−Ａ線およびＢ−Ｂ線に沿った概略的な鉛直断面図である。つまり、第１の実施形態のＬＥＤ面発光装置１０では、図１（Ａ）のＡ−Ａ線に沿った鉛直断面と、図１（Ａ）のＢ−Ｂ線に沿った鉛直断面とがほぼ同様になる。
【００４２】
図２は第１の実施形態のＬＥＤ面発光装置１０の一部を構成する概略長方形の導光板３ａの部品図である。詳細には、図２（Ａ）は導光板３ａの平面図、図２（Ｂ）は導光板３ａの正面図、図２（Ｃ）は導光板３ａの左側面図、図２（Ｄ）は導光板３ａの右側面図、図２（Ｅ）は導光板３ａの底面図である。図３は第１の実施形態のＬＥＤ面発光装置１０の一部を構成する概略長方形の導光板３ｂの部品図である。詳細には、図３（Ａ）は導光板３ｂの平面図、図３（Ｂ）は導光板３ｂの正面図、図３（Ｃ）は導光板３ｂの左側面図、図３（Ｄ）は導光板３ｂの右側面図、図３（Ｅ）は導光板３ｂの底面図である。
【００４３】
図４は第１の実施形態のＬＥＤ面発光装置１０のＬＥＤ光源１ａ，１ｂに対する通電量が非通電状態から通電状態に高速で切り換えられる高速切り換えモードを説明するための図である。詳細には、図４（Ａ）はＬＥＤ光源１ａ，１ｂに対する通電量が非通電状態から通電状態に切り換えられる前の状態を示した図、図４（Ｂ）はＬＥＤ光源１ａに対する通電量が非通電状態から通電状態に切り換えられた後であって、ＬＥＤ光源１ｂに対する通電量が非通電状態から通電状態に切り換えられる前の状態を示した図、図４（Ｃ）はＬＥＤ光源１ａ，１ｂに対する通電量が非通電状態から通電状態に切り換えられた後の状態を示した図である。
【００４４】
図５および図６は第１の実施形態のＬＥＤ面発光装置１０のＬＥＤ光源１ａ，１ｂに対する通電量が非通電状態から通電状態に低速で切り換えられる低速切り換えモードを説明するための図である。詳細には、図５（Ａ）はＬＥＤ光源１ａ，１ｂに対する通電量が非通電状態から通電状態に切り換えられる前の状態を示した図、図５（Ｂ）はＬＥＤ光源１ａに対する通電量が非通電状態から通電状態に切り換えられている時であって、ＬＥＤ光源１ｂに対する通電量が非通電状態から通電状態に切り換えられる前の状態を示した図、図５（Ｃ）および図６（Ａ）はＬＥＤ光源１ａに対する通電量が非通電状態から通電状態に切り換えられた後であって、ＬＥＤ光源１ｂに対する通電量が非通電状態から通電状態に切り換えられる前の状態を示した図、図６（Ｂ）はＬＥＤ光源１ａに対する通電量が非通電状態から通電状態に切り換えられた後であって、ＬＥＤ光源１ｂに対する通電量が非通電状態から通電状態に切り換えられている時の状態を示した図、図６（Ｃ）はＬＥＤ光源１ａ，１ｂに対する通電量が非通電状態から通電状態に切り換えられた後の状態を示した図である。
【００４５】
図７はＬＥＤ光源１ａ，１ｂから照射される光Ｌ１ａ１，Ｌ１ａ２，Ｌ１ｂ１，Ｌ１ｂ２の利用効率を説明するための図である。図８はＬＥＤ光源１ａ，１ｂからの光Ｌ１ａ３，Ｌ１ａ４，Ｌ１ｂ３，Ｌ１ｂ４の利用効率を説明するための図である。
【００４６】
第１の実施形態のＬＥＤ面発光装置１０では、図１に示すように、ＬＥＤ光源１ａが基板２ａに実装され、ＬＥＤ光源１ｂが基板２ｂに実装されている。更に、例えば基板２ａ，２ｂおよび導光板３ａ，３ｂを前側板４ａおよび後側板４ｂによって挟持することにより、ＬＥＤ光源１ａ，１ｂおよび導光板３ａ，３ｂが相対的に位置決めされている。
【００４７】
第１の実施形態のＬＥＤ面発光装置１０では、図１に示すように、２個のＬＥＤ光源１ａが設けられ、２個のＬＥＤ光源１ｂが設けられているが、第２の実施形態のＬＥＤ面発光装置１０では、代わりに、２個以外の任意の数のＬＥＤ光源１ａを設け、２個以外の任意の数のＬＥＤ光源１ｂを設けることも可能である。また、第１の実施形態のＬＥＤ面発光装置１０では、図１に示すように、前側板４ａおよび後側板４ｂによってＬＥＤ光源１ａ，１ｂおよび導光板３ａ，３ｂが相対的に位置決めされているが、第３の実施形態のＬＥＤ面発光装置１０では、代わりに、前側板４ａおよび後側板４ｂとは異なる任意の位置決め手段によってＬＥＤ光源１ａ，１ｂおよび導光板３ａ，３ｂを相対的に位置決めすることも可能である。更に、第１の実施形態のＬＥＤ面発光装置１０では、図１に示すように、２組のＬＥＤ光源１ａ，１ｂおよび導光板３ａ，３ｂ（つまり、ＬＥＤ光源１ａおよび導光板３ａの組、および、ＬＥＤ光源１ｂおよび導光板３ｂの組）が設けられているが、第４の実施形態のＬＥＤ面発光装置１０では、代わりに、２組以外の任意の組数のＬＥＤ光源および導光板を設けることも可能である。
【００４８】
詳細には、第１の実施形態のＬＥＤ面発光装置１０では、ＬＥＤ光源１ａ（図１参照）からの光が入射する入射面３ａ１（図２（Ｂ）および図２（Ｃ）参照）が、導光板３ａ（図１および図２参照）の根元側（図２（Ａ）、図２（Ｂ）および図２（Ｅ）の左側）端面によって構成されている。更に、導光板３ａによって導光された光が出射する出射面３ａ２ａ（図２（Ｂ）参照）が、導光板３ａの表側（図１（Ｂ）の上側）表面３ａ２（図２（Ａ）、図２（Ｂ）および図２（Ｃ）参照）の根元側部分によって構成されている。
【００４９】
また、第１の実施形態のＬＥＤ面発光装置１０では、導光板３ａ（図１および図２参照）の裏側（図１（Ｂ）の下側）表面３ａ３（図２（Ｂ）、図２（Ｄ）および図２（Ｅ）参照）のうち、出射面３ａ２ａ（図２（Ｂ）参照）に対向する根元側部分３ａ３ａ（図２（Ｂ）および図２（Ｅ）参照）にプリズムカット３ａ３ａ１（図２（Ｂ）、図２（Ｄ）および図２（Ｅ）参照）が形成されている。更に、ＬＥＤ光源１ａ（図１参照）から照射され、入射面３ａ１（図２（Ｂ）および図２（Ｃ）参照）を透過せしめられ、プリズムカット３ａ３ａ１によって反射された光が出射面３ａ２ａの全体に到達するように、例えばシボ加工などのような粗面加工がプリズムカット３ａ３ａ１に施されている。
【００５０】
更に、第１の実施形態のＬＥＤ面発光装置１０では、導光板３ａ（図１および図２参照）の表側表面３ａ２（図２（Ａ）、図２（Ｂ）および図２（Ｃ）参照）の先端側（図２（Ａ）、図２（Ｂ）、図２（Ｅ）の右側）部分に素通し面３ａ２ｂ（図２（Ｂ）参照）が形成されている。また、導光板３ａの裏側表面３ａ３（図２（Ｂ）、図２（Ｄ）および図２（Ｅ）参照）のうち、表側表面３ａ２の素通し面３ａ２ｂに対向する先端側部分に素通し面３ａ３ｂ（図２（Ｂ）および図２（Ｅ）参照）が形成されている。
【００５１】
また、第１の実施形態のＬＥＤ面発光装置１０では、図１（Ｂ）および図３に示すように、概略長方形の導光板３ｂが、導光板３ａに対してほぼ平行に導光板３ａの裏面側（図１（Ｂ）の下側）に配置されている。更に、図１に示すように、導光板３ａ，３ｂを隔ててＬＥＤ光源１ａの反対側（図１の右側）にＬＥＤ光源１ｂが配置されている。また、ＬＥＤ光源１ａの発光色とＬＥＤ光源１ｂの発光色とが同一に設定されている。
【００５２】
詳細には、第１の実施形態のＬＥＤ面発光装置１０では、ＬＥＤ光源１ｂ（図１参照）からの光が入射する入射面３ｂ１（図３（Ｂ）および図３（Ｄ）参照）が、導光板３ｂ（図１（Ｂ）および図３参照）の根元側（図３（Ａ）、図３（Ｂ）および図３（Ｅ）の右側）端面によって構成されている。更に、導光板３ｂによって導光された光が出射する出射面３ｂ２ａ（図３（Ｂ）参照）が、導光板３ｂの表側表面３ｂ２（図３（Ａ）、図３（Ｂ）および図３（Ｃ）参照）のうち、導光板３ａ（図１および図２参照）の裏側表面３ａ３（図２（Ｂ）、図２（Ｄ）および図２（Ｅ）参照）の素通し面３ａ３ｂ（図２（Ｂ）および図２（Ｅ）参照）に対向する部分によって構成されている。また、導光板３ｂの裏側表面３ｂ３（図３（Ｂ）、図３（Ｄ）および図３（Ｅ）参照）のうち、導光板３ｂの出射面３ｂ２ａに対向する根元側部分３ｂ３ａ（図３（Ｂ）および図３（Ｅ）参照）にプリズムカット３ｂ３ａ１（図３（Ｂ）、図３（Ｄ）および図３（Ｅ）参照）が形成されている。
【００５３】
更に、第１の実施形態のＬＥＤ面発光装置１０では、ＬＥＤ光源１ｂ（図１参照）から照射され、導光板３ｂ（図１（Ｂ）および図３参照）の入射面３ｂ１（図３（Ｂ）および図３（Ｄ）参照）を透過せしめられ、導光板３ｂのプリズムカット３ｂ３ａ１（図３（Ｂ）、図３（Ｄ）および図３（Ｅ）参照）によって反射された光が導光板３ｂの出射面３ｂ２ａ（図３（Ｂ）参照）の全体を透過せしめられ、導光板３ａ（図１および図２参照）の表側表面３ａ２（図２（Ａ）、図２（Ｂ）および図２（Ｃ）参照）の素通し面３ａ２ｂ（図２（Ｂ）参照）の全体に到達するように、例えばシボ加工などのような粗面加工が導光板３ｂのプリズムカット３ｂ３ａ１に施されている。
【００５４】
また、第１の実施形態のＬＥＤ面発光装置１０では、ＬＥＤ光源１ａ，１ｂ（図１参照）に対する通電量が非通電状態から通電状態に高速で切り換えられる高速切り換えモードと、ＬＥＤ光源１ａ，１ｂに対する通電量が非通電状態から通電状態に低速で切り換えられる低速切り換えモードとが設けられている。
【００５５】
具体的には、第１の実施形態のＬＥＤ面発光装置１０の高速切り換えモードでは、図４（Ａ）に示すように、ＬＥＤ光源１ａ，１ｂに対する通電量が非通電状態から通電状態に切り換えられる前、ＬＥＤ光源１ａ，１ｂから光が照射されず、その結果、ＬＥＤ面発光装置１０の照射方向（図４（Ａ）の上側）に光が照射されない。次いで、図４（Ｂ）に示すように、ＬＥＤ光源１ａのみに対する通電量が非通電状態から通電状態に高速で切り換えられ、ＬＥＤ光源１ａが点灯され、ＬＥＤ光源１ａに対する通電量が通電状態に維持される。その結果、ＬＥＤ光源１ａから照射され、導光レンズ３ａのプリズムカット３ａ３ａ１（図２（Ｂ）、図２（Ｄ）および図２（Ｅ）参照）によって反射された光Ｌ１ａが、ＬＥＤ面発光装置１０の照射方向（図４（Ｂ）の上側）に照射される。次いで、図４（Ｃ）に示すように、ＬＥＤ光源１ｂに対する通電量が非通電状態から通電状態に高速で切り換えられ、ＬＥＤ光源１ｂが点灯される。その結果、ＬＥＤ光源１ｂから照射され、導光レンズ３ｂのプリズムカット３ｂ３ａ１（図３（Ｂ）、図３（Ｄ）および図３（Ｅ）参照）によって反射された光Ｌ１ｂが、導光レンズ３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられ、ＬＥＤ面発光装置１０の照射方向（図４（Ｃ）の上側）に照射される。
【００５６】
詳細には、第１の実施形態のＬＥＤ面発光装置１０の高速切り換えモードでは、図４（Ａ）および図４（Ｂ）に示すように、導光板３ａの出射面３ａ２ａ（図２（Ｂ）参照）の全体が発光していないように見える状態（図４（Ａ）参照）から発光しているように見える状態（図４（Ｂ）参照）に同時に切り換わるように、ＬＥＤ光源１ａに対する通電量の切り換え速度が設定されている。更に、図４（Ｂ）および図４（Ｃ）に示すように、導光レンズ３ｂのプリズムカット３ｂ３ａ１（図３（Ｂ）、図３（Ｄ）および図３（Ｅ）参照）からの反射光Ｌ１ｂによって、導光板３ａの素通し面３ａ２ｂ（図２（Ｂ）参照）の全体が発光していないように見える状態（図４（Ｂ）参照）から発光しているように見える状態（図４（Ｃ）参照）に同時に切り換わるように、ＬＥＤ光源１ｂに対する通電量の切り換え速度が設定されている。
【００５７】
その結果、第１の実施形態のＬＥＤ面発光装置１０の高速切り換えモードでは、図４（Ｂ）に示すように、ＬＥＤ光源１ａに対する通電量が非通電状態から通電状態に切り換わった後に、導光板３ａの出射面３ａ２ａ（図２（Ｂ）参照）の全体が発光しているように見える状態を形成することができる。更に、図４（Ｃ）に示すように、ＬＥＤ光源１ｂに対する通電量が非通電状態から通電状態に切り換わった後に、導光板３ａの素通し面３ａ２ｂ（図２（Ｂ）参照）の全体が発光しているように見える状態を形成することができる。
【００５８】
一方、第１の実施形態のＬＥＤ面発光装置１０の低速切り換えモードでは、図５（Ａ）、図５（Ｂ）および図５（Ｃ）に示すように、導光板３ａの出射面３ａ２ａ（図２（Ｂ）参照）の全体が発光していないように見える状態（図５（Ａ）参照）から発光しているように見える状態（図５（Ｃ）参照）に同時に切り換わらないように、ＬＥＤ光源１ａに対する通電量の切り換え速度が低速に設定されている。
【００５９】
詳細には、第１の実施形態のＬＥＤ面発光装置１０の低速切り換えモードでは、図５（Ａ）および図５（Ｂ）に示すように、最初に、導光板３ａの出射面３ａ２ａ（図２（Ｂ）参照）のうちの根元側部分３ａ２ａ１（図２（Ｂ）参照）のみが発光していないように見える状態から発光しているように見える状態に切り換わり、次いで、図５（Ｂ）および図５（Ｃ）に示すように、導光板３ａの出射面３ａ２ａのうちの先端側部分３ａ２ａ２（図２（Ｂ）参照）が発光していないように見える状態から発光しているように見える状態に切り換わるように、ＬＥＤ光源１ａに対する通電量の切り換え速度が設定されている。
【００６０】
その結果、第１の実施形態のＬＥＤ面発光装置１０の低速切り換えモードでは、図５（Ｂ）に示すように、ＬＥＤ光源１ａに対する通電量が非通電状態から通電状態に切り換わる時に、導光板３ａの出射面３ａ２ａ（図２（Ｂ）参照）のうちの根元側部分３ａ２ａ１（図２（Ｂ）参照）のみが発光しているように見える状態を瞬間的に形成することができる。本発明者の鋭意研究においては、図５（Ｂ）に示すように導光板３ａの出射面３ａ２ａの根元側部分３ａ２ａ１のみが発光しているように見える状態が形成される理由について十分に解明できなかったが、ＬＥＤ面発光装置１０の観察者の眼の錯覚が関与していると考えられる。
【００６１】
更に、第１の実施形態のＬＥＤ面発光装置１０の低速切り換えモードでは、図５（Ｃ）に示すように、ＬＥＤ光源１ａに対する通電量が非通電状態から通電状態に切り換わった後に、導光板３ａの出射面３ａ２ａ（図２（Ｂ）参照）の全体が発光しているように見える状態を形成することができる。第１の実施形態のＬＥＤ面発光装置１０の低速切り換えモードでは、その後、ＬＥＤ光源１ａに対する通電量が通電状態に維持される。
【００６２】
また、第１の実施形態のＬＥＤ面発光装置１０の低速切り換えモードでは、図６（Ａ）および図６（Ｂ）に示すように、次いで、導光板３ｂの出射面３ｂ２ａ（図３（Ｂ）参照）から出射し、導光板３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられた光Ｌ１ｂによって、導光板３ａの素通し面３ａ２ｂのうちの先端側部分３ａ２ｂ２（図２（Ｂ）参照）のみが発光していないように見える状態から発光しているように見える状態に切り換わり、次いで、図６（Ｂ）および図６（Ｃ）に示すように、導光板３ａの素通し面３ａ２ｂのうちの根元側部分３ａ２ｂ１（図２（Ｂ）参照）が発光していないように見える状態から発光しているように見える状態に切り換わるように、ＬＥＤ光源１ｂに対する通電量の切り換え速度が設定されている。
【００６３】
その結果、第１の実施形態のＬＥＤ面発光装置１０の低速切り換えモードでは、図６（Ｂ）に示すように、ＬＥＤ光源１ｂに対する通電量が非通電状態から通電状態に切り換わる時に、導光板３ａの素通し面３ａ２ｂ（図２（Ｂ）参照）のうちの先端側部分３ａ２ｂ２（図２（Ｂ）参照）のみが発光しているように見える状態を瞬間的に形成することができる。
【００６４】
換言すれば、第１の実施形態のＬＥＤ面発光装置１０によれば、導光板３ａ（図２参照）の出射面３ａ２ａ（図２（Ｂ）参照）の根元側部分３ａ２ａ１（図２（Ｂ）参照）の発光していないように見える状態と発光しているように見える状態とを切り換えるためのＬＥＤ光源と、導光板３ａの出射面３ａ２ａの先端側部分３ａ２ａ２（図２（Ｂ）参照）の発光していないように見える状態と発光しているように見える状態とを切り換えるためのＬＥＤ光源と、導光板３ａの素通し面３ａ２ｂ（図２（Ｂ）参照）の先端側部分３ａ２ｂ２（図２（Ｂ）参照）の発光していないように見える状態と発光しているように見える状態とを切り換えるためのＬＥＤ光源と、導光板３ａの素通し面３ａ２ｂの根元側部分３ａ２ｂ１（図２（Ｂ）参照）の発光していないように見える状態と発光しているように見える状態とを切り換えるためのＬＥＤ光源とを設けて、それらのＬＥＤ光源の非通電状態と通電状態とをそれぞれ独立して制御する必要なく、導光板３ａの出射面３ａ２ａの根元側部分３ａ２ａ１のみが発光しているように見える状態（図５（Ｂ）参照）と、導光板３ａの出射面３ａ２ａの全体が発光しているように見える状態（図５（Ｃ）および図６（Ａ）参照）と、導光板３ａの素通し面３ａ２ｂの先端側部分３ａ２ｂ２のみが発光しているように見える状態（図６（Ｂ）参照）と、導光板３ａの素通し面３ａ２ｂの全体が発光しているように見える状態（図６（Ｃ）参照）とを形成することができる。
【００６５】
つまり、第１の実施形態のＬＥＤ面発光装置１０によれば、ＬＥＤ光源１ａ（図１参照）に対する通電量が高速で非通電状態から通電状態に切り換えられる場合には形成することができない導光板３ａ（図１および図２参照）の出射面３ａ２ａ（図２（Ｂ）参照）の根元側部分３ａ２ａ１（図２（Ｂ）参照）のみが発光しているように見える状態（図５（Ｂ）参照）、および、ＬＥＤ光源１ｂ（図１参照）に対する通電量が高速で非通電状態から通電状態に切り換えられる場合には形成することができない導光板３ａの素通し面３ａ２ｂ（図２（Ｂ）参照）の先端側部分３ａ２ｂ２（図２（Ｂ）参照）のみが発光しているように見える状態（図６（Ｂ）参照）を瞬間的に形成することができる。
【００６６】
更に、第１の実施形態のＬＥＤ面発光装置１０では、ＬＥＤ光源１ａ（図１参照）から照射され、導光板３ａ（図１および図２参照）の入射面３ａ１（図２（Ｂ）および図２（Ｃ）参照）を透過せしめられた直射光が導光板３ａのプリズムカット３ａ３ａ１（図２（Ｂ）、図２（Ｄ）および図２（Ｅ）参照）によって反射されてＬＥＤ面発光装置１０の照射方向（図４（Ａ）の上側）に照射されるのみならず、ＬＥＤ光源１ａから照射され、導光板３ａの入射面３ａ１を透過せしめられ、導光板３ａによって内面反射された反射光も導光板３ａのプリズムカット３ａ３ａ１によって反射されてＬＥＤ面発光装置１０の照射方向に照射されるように、導光板３ａが構成されている。
【００６７】
詳細には、第１の実施形態のＬＥＤ面発光装置１０では、図７（Ａ）に示すように、導光板３ａの裏側表面３ａ３とＬＥＤ光源１ａの光軸１ａ’とが交差せしめられている。その結果、第１の実施形態のＬＥＤ面発光装置１０では、ＬＥＤ光源１ａの光軸１ａ’上を進むＬＥＤ光源１ａからの高光度の直射光Ｌ１ａ１がプリズムカット３ａ３ａ１によって反射されてＬＥＤ面発光装置１０の照射方向（図７（Ａ）の上側）に照射される。そのため、第１の実施形態のＬＥＤ面発光装置１０によれば、図７（Ｂ）に示すように導光板３ａの表側表面３ａ２および裏側表面３ａ３とＬＥＤ光源１ａの光軸１ａ’とが交差せしめられておらず、ＬＥＤ光源１ａの光軸１ａ’上を進むＬＥＤ光源１ａからの高光度の直射光Ｌ１ａ２がプリズムカット３ａ３ａ１に入射しない場合よりも、ＬＥＤ光源１ａから照射された光のうち、導光板３ａの裏側表面３ａ３のプリズムカット３ａ３ａ１によって反射される光の割合を向上させることができる。
【００６８】
同様に、第１の実施形態のＬＥＤ面発光装置１０では、図７（Ｃ）に示すように、導光板３ｂの表側表面３ｂ２とＬＥＤ光源１ｂの光軸１ｂ’とが交差せしめられている。その結果、第１の実施形態のＬＥＤ面発光装置１０では、ＬＥＤ光源１ｂの光軸１ｂ’上を進むＬＥＤ光源１ｂからの高光度の光Ｌ１ｂ１が、導光板３ｂの表側表面３ｂ２によって反射され、次いで、プリズムカット３ｂ３ａ１によって反射され、ＬＥＤ面発光装置１０の照射方向（図７（Ｃ）の上側）に照射される。そのため、第１の実施形態のＬＥＤ面発光装置１０によれば、図７（Ｄ）に示すように導光板３ｂの表側表面３ｂ２および裏側表面３ｂ３とＬＥＤ光源１ｂの光軸１ｂ’とが交差せしめられておらず、ＬＥＤ光源１ｂの光軸１ｂ’上を進むＬＥＤ光源１ｂからの高光度の直射光Ｌ１ｂ２がプリズムカット３ｂ３ａ１に入射しない場合よりも、ＬＥＤ光源１ｂから照射された光のうち、導光板３ｂの裏側表面３ｂ３のプリズムカット３ｂ３ａ１によって反射される光の割合を向上させることができる。
【００６９】
更に、第１の実施形態のＬＥＤ面発光装置１０では、図８（Ａ）に示すように、導光板３ａ（図２参照）の先端面３ａ４が、互いに直交する２つの平面３ａ４ａ，３ａ４ｂによって構成されている。その結果、第１の実施形態のＬＥＤ面発光装置１０では、ＬＥＤ光源１ａ（図１参照）からの光Ｌ１ａ３が導光板３ａの２つの平面３ａ４ａ，３ａ４ｂによって反射され、反射光Ｌ１ａ３’となってプリズムカット３ａ３ａ１（図２（Ｂ）参照）の側（図２（Ｂ）および図８（Ａ）の左側）に戻される。そのため、第１の実施形態のＬＥＤ面発光装置１０によれば、図８（Ｂ）に示すように導光板３ａの先端面３ａ４が単一の平面によって構成され、ＬＥＤ光源１ａ（図１参照）からの光Ｌ１ａ４の一部が透過光Ｌ１ａ４’となって導光板３ａの先端面３ａ４を透過する場合よりも、導光板３ａの先端面３ａ４を透過してしまう光を低減することができる。
【００７０】
同様に、第１の実施形態のＬＥＤ面発光装置１０では、図８（Ｃ）に示すように、導光板３ｂ（図３参照）の先端面３ｂ４が、互いに直交する２つの平面３ｂ４ａ，３ｂ４ｂによって構成されている。その結果、第１の実施形態のＬＥＤ面発光装置１０では、ＬＥＤ光源１ｂ（図１参照）からの光Ｌ１ｂ３が導光板３ｂの２つの平面３ｂ４ａ，３ｂ４ｂによって反射され、反射光Ｌ１ｂ３’となってプリズムカット３ｂ３ａ１（図３（Ｂ）参照）の側（図３（Ｂ）および図８（Ｃ）の右側）に戻される。そのため、第１の実施形態のＬＥＤ面発光装置１０によれば、図８（Ｄ）に示すように導光板３ｂの先端面３ｂ４が単一の平面によって構成され、ＬＥＤ光源１ｂ（図１参照）からの光Ｌ１ｂ４の一部が透過光Ｌ１ｂ４’となって導光板３ｂの先端面３ｂ４を透過する場合よりも、導光板３ｂの先端面３ｂ４を透過してしまう光を低減することができる。
【００７１】
以下、本発明のＬＥＤ面発光装置の第５の実施形態について説明する。第１の実施形態のＬＥＤ面発光装置１０では、ＬＥＤ光源１ａ（図１参照）の発光色とＬＥＤ光源１ｂ（図１参照）の発光色とが同一に設定されているが、第５の実施形態のＬＥＤ面発光装置１０では、ＬＥＤ光源１ａ（図１参照）の発光色とＬＥＤ光源１ｂ（図１参照）の発光色とが異ならされている。この点を除き、第５の実施形態のＬＥＤ面発光装置１０は、第１の実施形態のＬＥＤ面発光装置１０とほぼ同様に構成されている。
【００７２】
図９は第５の実施形態のＬＥＤ面発光装置１０のＬＥＤ光源１ａ，１ｂに対する通電量が非通電状態から通電状態に高速で切り換えられる高速切り換えモードを説明するための図である。詳細には、図９（Ａ）はＬＥＤ光源１ａ，１ｂに対する通電量が非通電状態から通電状態に切り換えられる前の状態を示した図、図９（Ｂ）はＬＥＤ光源１ａに対する通電量が非通電状態から通電状態に切り換えられた後であって、ＬＥＤ光源１ｂに対する通電量が非通電状態から通電状態に切り換えられる前の状態を示した図、図９（Ｃ）はＬＥＤ光源１ａ，１ｂに対する通電量が非通電状態から通電状態に切り換えられた後の状態を示した図である。
【００７３】
図１０は第５の実施形態のＬＥＤ面発光装置１０のＬＥＤ光源１ａ，１ｂに対する通電量が非通電状態から通電状態に低速で切り換えられる低速切り換えモードを説明するための図である。詳細には、図１０（Ａ）はＬＥＤ光源１ａに対する通電量が非通電状態から通電状態に切り換えられた後であって、ＬＥＤ光源１ｂに対する通電量が非通電状態から通電状態に切り換えられる前の状態を示した図、図１０（Ｂ）および図１０（Ｃ）はＬＥＤ光源１ａに対する通電量が非通電状態から通電状態に切り換えられた後であって、ＬＥＤ光源１ｂに対する通電量が非通電状態から通電状態に切り換えられている時の状態を示した図、図１０（Ｄ）はＬＥＤ光源１ａ，１ｂに対する通電量が非通電状態から通電状態に切り換えられた後の状態を示した図である。
【００７４】
第５の実施形態のＬＥＤ面発光装置１０では、ＬＥＤ光源１ａ，１ｂ（図１参照）に対する通電量が非通電状態から通電状態に高速で切り換えられる高速切り換えモードと、ＬＥＤ光源１ａ，１ｂに対する通電量が非通電状態から通電状態に低速で切り換えられる低速切り換えモードとが設けられている。
【００７５】
具体的には、第５の実施形態のＬＥＤ面発光装置１０の高速切り換えモードでは、図９（Ａ）に示すように、ＬＥＤ光源１ａ，１ｂに対する通電量が非通電状態から通電状態に切り換えられる前、ＬＥＤ光源１ａ，１ｂから光が照射されず、その結果、ＬＥＤ面発光装置１０の照射方向（図９（Ａ）の上側）に光が照射されない。次いで、図９（Ｂ）に示すように、ＬＥＤ光源１ａのみに対する通電量が非通電状態から通電状態に高速で切り換えられ、ＬＥＤ光源１ａが点灯される。その結果、ＬＥＤ光源１ａから照射され、導光レンズ３ａのプリズムカット３ａ３ａ１（図２（Ｂ）、図２（Ｄ）および図２（Ｅ）参照）によって反射された第１色の光Ｌ１ａが、ＬＥＤ面発光装置１０の照射方向（図９（Ｂ）の上側）に照射される。次いで、図９（Ｃ）に示すように、ＬＥＤ光源１ｂに対する通電量が非通電状態から通電状態に高速で切り換えられ、ＬＥＤ光源１ｂが点灯される。その結果、ＬＥＤ光源１ｂから照射され、導光レンズ３ｂのプリズムカット３ｂ３ａ１（図３（Ｂ）、図３（Ｄ）および図３（Ｅ）参照）によって反射された第１色とは異なる第２色の光Ｌ１ｂ’が、導光レンズ３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられ、ＬＥＤ面発光装置１０の照射方向（図９（Ｃ）の上側）に照射される。
【００７６】
詳細には、第５の実施形態のＬＥＤ面発光装置１０の高速切り換えモードでは、図９（Ａ）および図９（Ｂ）に示すように、導光板３ａの出射面３ａ２ａ（図２（Ｂ）参照）の全体が発光していないように見える状態（図９（Ａ）参照）から発光しているように見える状態（図９（Ｂ）参照）に同時に切り換わるように、ＬＥＤ光源１ａに対する通電量の切り換え速度が設定されている。更に、図９（Ｂ）および図９（Ｃ）に示すように、導光レンズ３ｂのプリズムカット３ｂ３ａ１（図３（Ｂ）、図３（Ｄ）および図３（Ｅ）参照）からの反射光Ｌ１ｂ’によって、導光板３ａの素通し面３ａ２ｂ（図２（Ｂ）参照）の全体が発光していないように見える状態（図９（Ｂ）参照）から発光しているように見える状態（図９（Ｃ）参照）に同時に切り換わるように、ＬＥＤ光源１ｂに対する通電量の切り換え速度が設定されている。
【００７７】
その結果、第５の実施形態のＬＥＤ面発光装置１０の高速切り換えモードでは、図９（Ｂ）に示すように、ＬＥＤ光源１ａに対する通電量が非通電状態から通電状態に切り換わった後に、導光板３ａの出射面３ａ２ａ（図２（Ｂ）参照）の全体が発光しているように見える状態を形成することができる。更に、図９（Ｃ）に示すように、ＬＥＤ光源１ｂに対する通電量が非通電状態から通電状態に切り換わった後に、導光板３ａの素通し面３ａ２ｂ（図２（Ｂ）参照）の全体が発光しているように見える状態を形成することができる。
【００７８】
一方、第５の実施形態のＬＥＤ面発光装置１０の低速切り換えモードでは、図５（Ａ）、図５（Ｂ）および図５（Ｃ）に示すように、導光板３ａの出射面３ａ２ａ（図２（Ｂ）参照）の全体が発光していないように見える状態（図５（Ａ）参照）から発光しているように見える状態（図５（Ｃ）参照）に同時に切り換わらないように、ＬＥＤ光源１ａに対する通電量の切り換え速度が低速に設定されている。
【００７９】
詳細には、第５の実施形態のＬＥＤ面発光装置１０の低速切り換えモードでは、図５（Ａ）および図５（Ｂ）に示すように、最初に、導光板３ａの出射面３ａ２ａ（図２（Ｂ）参照）のうちの根元側部分３ａ２ａ１（図２（Ｂ）参照）のみが発光していないように見える状態から発光しているように見える状態に切り換わり、次いで、図５（Ｂ）および図５（Ｃ）に示すように、導光板３ａの出射面３ａ２ａのうちの先端側部分３ａ２ａ２（図２（Ｂ）参照）が発光していないように見える状態から発光しているように見える状態に切り換わるように、ＬＥＤ光源１ａに対する通電量の切り換え速度が設定されている。
【００８０】
その結果、第５の実施形態のＬＥＤ面発光装置１０の低速切り換えモードでは、図５（Ｂ）に示すように、ＬＥＤ光源１ａに対する通電量が非通電状態から通電状態に切り換わる時に、導光板３ａの出射面３ａ２ａ（図２（Ｂ）参照）のうちの根元側部分３ａ２ａ１（図２（Ｂ）参照）のみが発光しているように見える状態を瞬間的に形成することができる。
【００８１】
更に、第５の実施形態のＬＥＤ面発光装置１０の低速切り換えモードでは、図５（Ｃ）に示すように、ＬＥＤ光源１ａに対する通電量が非通電状態から通電状態に切り換わった後に、導光板３ａの出射面３ａ２ａ（図２（Ｂ）参照）の全体が発光しているように見える状態を形成することができる。第５の実施形態のＬＥＤ面発光装置１０の低速切り換えモードでは、その後、ＬＥＤ光源１ａに対する通電量が通電状態に維持される。
【００８２】
また、第５の実施形態のＬＥＤ面発光装置１０の低速切り換えモードでは、後述するような発光していないように見える状態および発光しているように見える状態が形成されるように、ＬＥＤ光源１ｂ（図１参照）に対する通電量の切り換え速度が設定されている。
【００８３】
具体的には、第５の実施形態のＬＥＤ面発光装置１０の低速切り換えモードでは、図１０（Ａ）および図１０（Ｂ）に示すように、次いで、導光板３ｂの出射面３ｂ２ａ（図３（Ｂ）参照）から出射し、導光板３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられた第２色の光Ｌ１ｂ’によって、導光板３ａの素通し面３ａ２ｂのうちの先端側部分３ａ２ｂ２（図２（Ｂ）参照）のみが発光していないように見える状態から発光しているように見える状態に切り換わる。
【００８４】
次いで、第５の実施形態のＬＥＤ面発光装置１０の低速切り換えモードでは、図１０（Ｂ）および図１０（Ｃ）に示すように、導光板３ｂの出射面３ｂ２ａ（図３（Ｂ）参照）から出射し、導光板３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられた第２色の光と、導光板３ａのプリズムカット３ａ３ａ１（図２（Ｂ）、図２（Ｄ）および図２（Ｅ）参照）から漏れ出て、導光板３ｂのプリズムカット３ｂ３ａ１（図３（Ｂ）、図３（Ｄ）および図３（Ｅ）参照）によって反射され、導光板３ｂの出射面３ｂ２ａから出射し、導光板３ａの裏側表面３ａ３の素通し面３ａ３ｂおよび表側表面３ａ２の素通し面３ａ２ｂを透過せしめられた第１色の光との混合光Ｌ１ｂ”によって、導光板３ａの表側表面３ａ２の素通し面３ａ２ｂのうちの根元側部分３ａ２ｂ１（図２（Ｂ）参照）が発光していないように見える状態から第１色と第２色とが混合した第３色で発光しているように見える状態に切り換わる。
【００８５】
次いで、第５の実施形態のＬＥＤ面発光装置１０の低速切り換えモードでは、図１０（Ｃ）および図１０（Ｄ）に示すように、導光板３ｂの出射面３ｂ２ａ（図３（Ｂ）参照）から出射し、導光板３ａの裏側表面３ａ３（図２（Ｂ）、図２（Ｄ）および図２（Ｅ）参照）の素通し面３ａ３ｂ（図２（Ｂ）および図２（Ｅ）参照）および表側表面３ａ２（図２（Ａ）、図２（Ｂ）および図２（Ｃ）参照）の素通し面３ａ２ｂ（図２（Ｂ）参照）を透過せしめられた第２色の光Ｌ１ｂ’によって、導光板３ａの表側表面３ａ２の素通し面３ａ２ｂの全体が第２色で発光しているように見える状態になる。
【００８６】
換言すれば、第５の実施形態のＬＥＤ面発光装置１０によれば、ＬＥＤ光源１ａ（図１０参照）に対する通電量を通電状態に維持しつつ、ＬＥＤ光源１ｂ（図１０参照）に対する通電量を低速で非通電状態から通電状態に切り換えることにより、導光板３ａの出射面３ａ２ａ（図２（Ｂ）参照）の全体が第１色で発光しており、かつ、導光板３ａの表側表面３ａ２の素通し面３ａ２ｂ（図２（Ｂ）参照）のうちの先端側部分３ａ２ｂ２（図２参照）のみが第２色で発光しているように見える第１発光状態（図１０（Ｂ）参照）と、導光板３ａの出射面３ａ２ａの全体が第１色で発光しているように見え、かつ、導光板３ａの表側表面３ａ２の素通し面３ａ２ｂのうちの先端側部分３ａ２ｂ２が第２色で発光しているように見え、かつ、導光板３ａの表側表面３ａ２の素通し面３ａ２ｂのうちの根元側部分３ａ２ｂ１（図２（Ｂ）参照）が第３色で発光しているように見える第２発光状態（図１０（Ｃ）参照）と、導光板３ａの出射面３ａ２ａの全体が第１色で発光しているように見え、かつ、導光板３ａの表側表面３ａ２の素通し面３ａ２ｂの全体が第２色で発光しているように見える第３発光状態（図１０（Ｄ）参照）とを形成することができる。
【００８７】
すなわち、第５の実施形態のＬＥＤ面発光装置１０によれば、ＬＥＤ光源１ｂ（図１０参照）に対する通電量を変更することのみによって、第１発光状態（図１０（Ｂ）参照）、第２発光状態（図１０（Ｃ）参照）および第３発光状態（図１０（Ｄ）参照）の３つの発光状態を形成することができる。
【００８８】
つまり、第５の実施形態のＬＥＤ面発光装置１０によれば、図９に示すようにＬＥＤ光源１ｂに対する通電量が高速で非通電状態から通電状態に切り換えられる場合には形成することができない第１発光状態（図１０（Ｂ）参照）および第２発光状態（図１０（Ｃ）参照）を瞬間的に形成することができる。本発明者の鋭意研究においては、図１０（Ｂ）に示すような第１発光状態および図１０（Ｃ）に示すような第２発光状態が瞬間的に形成される理由として、ＬＥＤ面発光装置１０の観察者の眼の錯覚が関与していると結論づけられた。具体的には、導光板３ａのプリズムカット３ａ３ａ１（図２（Ｂ）、図２（Ｄ）および図２（Ｅ）参照）から漏れ出て、導光板３ｂのプリズムカット３ｂ３ａ１（図３（Ｂ）、図３（Ｄ）および図３（Ｅ）参照）によって反射され、導光板３ｂの出射面３ｂ２ａから出射し、導光板３ａの裏側表面３ａ３の素通し面３ａ３ｂおよび表側表面３ａ２の素通し面３ａ２ｂを透過せしめられる第１色の光が、ＬＥＤ光源１ａから照射され、導光レンズ３ａのプリズムカット３ａ３ａ１（図２（Ｂ）、図２（Ｄ）および図２（Ｅ）参照）によって反射され、ＬＥＤ面発光装置１０の照射方向（図１０（Ｂ）および図１０（Ｃ）の上側）に照射される第１色の光Ｌ１ａよりも弱い（暗い）ため、第１発光状態（図１０（Ｂ）参照）および第２発光状態（図１０（Ｃ）参照）が瞬間的に形成される錯覚がＬＥＤ面発光装置１０の観察者の眼に生じると考えられる。
【００８９】
第６の実施形態では、上述した第１から第５の実施形態を適宜組み合わせることも可能である。
【産業上の利用可能性】
【００９０】
本発明のＬＥＤ面発光装置は、例えば演出用照明装置などのような照明装置などに適用可能である。
【符号の説明】
【００９１】
１ａ，１ｂ              ＬＥＤ光源
３ａ，３ｂ              導光板
３ａ１，３ｂ１          入射面
３ａ２，３ｂ２          表側表面
３ａ２ａ，３ｂ２ａ      出射面
３ａ２ａ１，３ａ２ａ２  部分
３ａ３，３ｂ３          裏側表面
３ａ３ａ，３ｂ３ａ      部分
３ａ３ａ１，３ｂ３ａ１  プリズムカット
１０                    ＬＥＤ面発光装置
【図１】
0005695891.tif 000002
【図２】
0005695891.tif 000003
【図３】
0005695891.tif 000004
【図４】
0005695891.tif 000005
【図５】
0005695891.tif 000006
【図６】
0005695891.tif 000007
【図７】
0005695891.tif 000008
【図８】
0005695891.tif 000009
【図９】
0005695891.tif 000010
【図１０】
0005695891.tif 000011